(57)【要約】【課題】ユーザの操作が作業途中である場合、他の状態に移行しても、作業途中の状態から操作を再開することができる画像形成装置、画像形成方法および画像形成プログラムを提供する。【解決手段】ユーザからの操作を受け付ける操作画面を提供する画像形成装置である。この画像形成装置は、所定時間ユーザからの操作がなかった場合に、ユーザが操作している状態を示す第１画面から他の第１状態を示す第２画面に前記操作画面を遷移させる第１遷移手段と、操作画面が第２画面に遷移するときに、この操作画面におけるユーザからの操作が作業の途中であるか否かを判断する判断手段と、判断手段によりユーザからの操作が作業の途中であると判断された場合、第１画面から第２画面に遷移するときの第１画面に表示されている操作内容を保存する保存手段とを有する。【選択図】図１０
2010023451.tif 000002
【特許請求の範囲】
【請求項１】
ユーザからの操作を受け付ける操作画面を提供する画像形成装置であって、
所定時間ユーザからの操作がなかった場合に、ユーザが操作している状態を示す第１画面から他の第１状態を示す第２画面に前記操作画面を遷移させる第１遷移手段と、
前記操作画面が前記第２画面に遷移するときに、当該操作画面におけるユーザからの操作が作業の途中であるか否かを判断する判断手段と、
前記判断手段により前記ユーザからの操作が作業の途中であると判断された場合、前記第１画面から前記第２画面に遷移するときの前記第１画面に表示されている操作内容を保存する保存手段と、
を有することを特徴とする画像形成装置。
【請求項２】
前記第２画面から前記操作内容を表示する第３画面に前記操作画面を遷移させる第２遷移手段を更に有し、
前記第３画面が表示された場合、前記記憶手段は、保存している前記操作内容を削除する請求項１に記載の画像形成装置。
【請求項３】
前記記憶手段は、前記操作内容を保存した後、所定時間経過後に保存している前記操作内容を削除する請求項１に記載の画像形成装置。
【請求項４】
前記判断手段は、印刷設定作業において印刷を開始するための開始ボタンまたは本体設定作業において設定を確定するための確定ボタンが押されたか否かに基づいて判断する請求項１に記載の画像形成装置。
【請求項５】
前記他の第１状態は、初期化、省電力モードおよびログアウトのうちいずれか一つである請求項１に記載の画像形成装置。
【請求項６】
前記他の第１状態は初期化した状態であり、
前記保存手段に前記操作内容が保存されている場合、前記第２画面は、前記保存手段が保存している前記操作内容を呼出すための項目を含む初期画面である請求項１に記載の画像形成装置。
【請求項７】
前記他の第１状態は省電力モードであり、
前記第１遷移手段は、所定時間ユーザからの操作がなかった場合、現在の状態を示す前記第１画面から省電力モードを示す第２画面に前記操作画面を遷移させ、
前記第２画面においてユーザからの操作を受け付けた場合、省電力モードを示す前記第２画面から他の第２状態を示す第３画面に前記操作画面を遷移させる第２遷移手段を更に有し、
前記第３表示画面は、前記保存手段が前記操作内容を保存している場合には前記保存手段が保存している前記操作内容を呼出すための項目を含む初期画面であり、前記保存手段が前記操作内容を保存していない場合には通常の初期画面である請求項１に記載の画像形成装置。
【請求項８】
前記操作画面は、ログイン画面によって、ユーザが認証された後にログインさせてユーザからの操作を受け付けるものであり、
前記他の第１状態はログアウトした状態であり、
前記第１遷移手段は、所定時間ユーザからの操作がなかった場合、ユーザが操作している状態を示す前記第１画面からログアウトを示すログイン画面である第２画面に前記操作画面を遷移させ、
前記第２画面においてユーザをログインさせた場合、ログアウトを示す前記第２画面から他の第２状態を示す第３画面に前記操作画面を遷移させる第２遷移手段を更に有し、
保存手段は、ログインさせたユーザに関連付けて前記操作内容を保存し、
前記第３表示画面は、前記保存手段が前記操作内容を保存している場合には前記操作内容を表示した画面であり、前記保存手段が前記操作内容を保存していない場合には通常の初期画面である請求項１に記載の画像形成装置。
【請求項９】
ユーザからの操作を受け付ける操作画面を提供する画像形成装置における画像形成方法であって、
ユーザが操作している状態を示す第１画面を前記操作画面に表示するステップ（ａ）と、
所定時間ユーザからの操作がなかった場合に、他の第１状態を示す第２画面を前記操作画面に表示するステップ（ｂ）と、
前記操作画面が前記第１画面から前記第２画面に遷移するときに、当該操作画面におけるユーザからの操作が作業の途中であるか否かを判断するステップ（ｃ）と、
前記ユーザからの操作が作業の途中であると判断された場合、前記第１画面から前記第２画面に遷移するときの前記第１画面に表示されている操作内容を保存するステップ（ｄ）と、
を有することを特徴とする画像形成方法。
【請求項１０】
前記第２画面を表示した後に、保存している前記操作内容を表示する第３画面を前記操作画面に表示するステップ（ｅ）と、
前記第３画面が表示された場合、保存している前記操作内容を削除するステップ（ｆ）と、
を更に有する請求項９に記載の画像形成方法。
【請求項１１】
前記ステップ（ｄ）において、前記操作内容を保存した後、所定時間経過後に保存している前記操作内容を削除するステップ（ｇ）を更に有する請求項９に記載の画像形成方法。
【請求項１２】
前記ステップ（ｃ）において、ユーザからの操作が作業の途中であるか否かは、印刷設定作業において印刷を開始するための開始ボタンまたは本体設定作業において設定を確定するための確定ボタンが押された否かに基づいて判断する請求項９に記載の画像形成方法。
【請求項１３】
前記ステップ（ｂ）において、前記他の第１状態は、初期化、省電力モードおよびログアウトのうちいずれか一つである請求項９に記載の画像形成方法。
【請求項１４】
前記ステップ（ｂ）において、前記第２表示画面は、ユーザからの操作が作業の途中である場合に保存している前記操作内容を呼出すための項目を含む初期画面である請求項９に記載の画像形成方法。
【請求項１５】
前記ステップ（ｂ）において、前記第２表示画面は省電力モードを示す画面であり、
前記第２画面においてユーザからの操作を受け付けた場合、前記保存手段が前記操作内容を保存している場合には前記保存手段が保存している前記操作内容を呼出すための項目を含む初期画面を表示し、前記保存手段が前記操作内容を保存していない場合には通常の初期画面を表示するステップ（ｈ）を更に有する請求項９に記載の画像形成方法。
【請求項１６】
前記ステップ（ｃ）において、前記第２表示画面はログアウトを示すログイン画面であり、
前記ステップ（ｄ）において、前記操作内容は、ログインさせたユーザに関連付けて保存され、
前記ステップ（ａ）の前に、ログイン画面によって、ユーザを認証した後にログインさせてユーザからの操作を受け付けるステップ（ｉ）と、
前記第２画面においてユーザをログインさせた場合、前記操作内容を保存している場合には当該操作内容を表示し、前記操作内容を保存していない場合には通常の初期画面を表示するステップ（ｊ）と、を更に有する請求項９に記載の画像形成方法。
【請求項１７】
ユーザからの操作を受け付ける操作画面を提供する画像形成装置を制御するための画像形成プログラムであって、
ユーザが操作している状態を示す第１画面を前記操作画面に表示する手順（ａ）と、
所定時間ユーザからの操作がなかった場合に、他の第１状態を示す第２画面を前記操作画面に表示する手順（ｂ）と、
前記操作画面が前記第１画面から前記第２画面に遷移するときに、当該操作画面におけるユーザからの操作が作業の途中であるか否かを判断する手順（ｃ）と、
前記ユーザからの操作が作業の途中であると判断された場合、前記第１画面から前記第２画面に遷移するときの前記第１画面に表示されている操作内容を保存する手順（ｄ）と、
を画像処理装置に実行させることを特徴とする画像形成プログラム。
【請求項１８】
前記第２画面を表示した後に、保存している前記操作内容を表示する第３画面を前記操作画面に表示する手順（ｅ）と、
前記第３画面が表示された場合、保存している前記操作内容を削除する手順（ｆ）と、
を更に実行させる請求項１７に記載の画像形成プログラム。
【請求項１９】
前記手順（ｄ）において、前記操作内容を保存した後、所定時間経過後に保存している前記操作内容を削除する手順（ｇ）を更に有する請求項１７に記載の画像形成方法。
【請求項２０】
前記手順（ｃ）において、ユーザからの操作が作業の途中であるか否かは、印刷設定作業において印刷を開始するための開始ボタンまたは本体設定作業において設定を確定するための確定ボタンが押された否かに基づいて判断する請求項１７に記載の画像形成プログラム。
【請求項２１】
前記手順（ｂ）において、前記他の第１状態は、初期化、省電力モードおよびログアウトのうちいずれか一つである請求項１７に記載の画像形成プログラム。
【請求項２２】
前記手順（ｂ）において、前記第２表示画面は、ユーザからの操作が作業の途中である場合に保存している前記操作内容を呼出すための項目を含む初期画面である請求項１７に記載の画像形成プログラム。
【請求項２３】
前記手順（ｂ）において、前記第２表示画面は省電力モードを示す画面であり、
前記第２画面においてユーザからの操作を受け付けた場合、前記保存手段が前記操作内容を保存している場合には前記保存手段が保存している前記操作内容を呼出すための項目を含む初期画面を表示し、前記保存手段が前記操作内容を保存していない場合には通常の初期画面を表示する手順（ｈ）を更に実行させる請求項１７に記載の画像形成プログラム。
【請求項２４】
前記手順（ｃ）において、前記第２表示画面はログアウトを示すログイン画面であり、
前記手順（ｄ）において、前記操作内容は、ログインさせたユーザに関連付けて保存され、
前記手順（ａ）の前に、ログイン画面によって、ユーザを認証した後にログインさせてユーザからの操作を受け付ける手順（ｉ）と、
前記第２画面においてユーザをログインさせた場合、前記操作内容を保存している場合には当該操作内容を表示し、前記操作内容を保存していない場合には通常の初期画面を表示する手順（ｇ）と、を更に実行させる請求項１７に記載の画像形成プログラム。
【発明の詳細な説明】
【技術分野】
【０００１】
本発明は、ユーザからの操作を受け付ける操作画面を提供する画像形成装置に関する。
【背景技術】
【０００２】
現在、画像形成装置では、本体に設置された操作パネルを利用して印刷設定や本体設定を行うものが多数存在する。このような画像形成装置では、一定時間操作が行われない場合、省電力モードに自動的に移行する。ユーザ認証機能を備える装置の場合、一定時間操作が行われないときには、セキュリティ強化の観点から自動的にログオフするものもある。
【０００３】
近年、あらゆる分野で省電力化が進められており、画像形成装置においても省電力モードに移行するまでの時間設定は短くなってきている。
【０００４】
一方で、画像形成装置自体はさまざま機能が追加されており、設定できる項目も増加している。表示画面上には複数の機能や項目が表示され、印刷条件の設定操作もより複雑になってきている。ここでいう印刷条件とは、印刷設定のみならず本体設定も含むものである。
【０００５】
そのため、印刷条件を設定している途中で試行錯誤し、所定の時間が経過すると、省電力モードに移行し、設定途中の印刷条件が削除されてしまう場合がある。さまざまな機能が追加されたり、設定項目が増加したりすると、もう一度その途中の設定に辿り着くには多くの時間を要することとなる。
【０００６】
このような問題は画像形成終了後においても生じるものである。印刷動作が終了してから所定の時間が経過すると、ユーザが設定した印刷条件がメモリから削除され、表示画面がデフォルト状態に戻される場合もある。この場合、前回の印刷動作時に設定した印刷条件をもう一度設定し直すのに多くの時間を要するという問題がある。
【０００７】
これに対して、前回の画像形成動作時にユーザが設定した画像形成条件を直ちに呼び出すことができる画像形成装置が提案されている（たとえば、特許文献１参照。）。
【０００８】
特許文献１では、印刷終了後において、待機モード中や省エネルギーモードからの復帰時に表示画面がデフォルト状態になると、表示画面上に設定呼び出しキーが現れ、ユーザがこの設定呼び出しキーを押すと、前回の印刷動作時にユーザが設定した印刷条件が表示画面に表示される。
【特許文献１】特開２００４−７４６２１号公報
【発明の開示】
【発明が解決しようとする課題】
【０００９】
しかしながら、特許文献１に記載の技術は、印刷終了後において前回の印刷条件を呼び出すものであり、印刷条件を設定している途中に関するものではない。
【００１０】
本発明は上記従来技術の課題に鑑みてなされたものであり、本発明の目的は、ユーザの操作が作業途中である場合、他の状態に移行しても、作業途中の状態から操作を再開することができる画像形成装置、画像形成方法および画像形成プログラムを提供することにある。
【課題を解決するための手段】
【００１１】
本発明の上記目的は、下記の手段によって達成される。
【００１２】
（１）ユーザからの操作を受け付ける操作画面を提供する画像形成装置であって、所定時間ユーザからの操作がなかった場合に、ユーザが操作している状態を示す第１画面から他の第１状態を示す第２画面に前記操作画面を遷移させる第１遷移手段と、前記操作画面が前記第２画面に遷移するときに、当該操作画面におけるユーザからの操作が作業の途中であるか否かを判断する判断手段と、前記判断手段により前記ユーザからの操作が作業の途中であると判断された場合、前記第１画面から前記第２画面に遷移するときの前記第１画面に表示されている操作内容を保存する保存手段と、を有することを特徴とする画像形成装置。
【００１３】
（２）前記第２画面から前記操作内容を表示する第３画面に前記操作画面を遷移させる第２遷移手段を更に有し、前記第３画面が表示された場合、前記記憶手段は、保存している前記操作内容を削除する上記（１）に記載の画像形成装置。
【００１４】
（３）前記記憶手段は、前記操作内容を保存した後、所定時間経過後に保存している前記操作内容を削除する上記（１）に記載の画像形成装置。
【００１５】
（４）前記判断手段は、印刷設定作業において印刷を開始するための開始ボタンまたは本体設定作業において設定を確定するための確定ボタンが押されたか否かに基づいて判断する上記（１）に記載の画像形成装置。
【００１６】
（５）前記他の第１状態は、初期化、省電力モードおよびログアウトのうちいずれか一つである上記（１）に記載の画像形成装置。
【００１７】
（６）前記他の第１状態は初期化した状態であり、前記保存手段に前記操作内容が保存されている場合、前記第２画面は、前記保存手段が保存している前記操作内容を呼出すための項目を含む初期画面である上記（１）に記載の画像形成装置。
【００１８】
（７）前記他の第１状態は省電力モードであり、前記第１遷移手段は、所定時間ユーザからの操作がなかった場合、現在の状態を示す前記第１画面から省電力モードを示す第２画面に前記操作画面を遷移させ、前記第２画面においてユーザからの操作を受け付けた場合、省電力モードを示す前記第２画面から他の第２状態を示す第３画面に前記操作画面を遷移させる第２遷移手段を更に有し、前記第３表示画面は、前記保存手段が前記操作内容を保存している場合には前記保存手段が保存している前記操作内容を呼出すための項目を含む初期画面であり、前記保存手段が前記操作内容を保存していない場合には通常の初期画面である上記（１）に記載の画像形成装置。
【００１９】
（８）前記操作画面は、ログイン画面によって、ユーザが認証された後にログインさせてユーザからの操作を受け付けるものであり、前記他の第１状態はログアウトした状態であり、前記第１遷移手段は、所定時間ユーザからの操作がなかった場合、ユーザが操作している状態を示す前記第１画面からログアウトを示すログイン画面である第２画面に前記操作画面を遷移させ、前記第２画面においてユーザをログインさせた場合、ログアウトを示す前記第２画面から他の第２状態を示す第３画面に前記操作画面を遷移させる第２遷移手段を更に有し、保存手段は、ログインさせたユーザに関連付けて前記操作内容を保存し、前記第３表示画面は、前記保存手段が前記操作内容を保存している場合には前記操作内容を表示した画面であり、前記保存手段が前記操作内容を保存していない場合には通常の初期画面である上記（１）に記載の画像形成装置。
【００２０】
（９）ユーザからの操作を受け付ける操作画面を提供する画像形成装置における画像形成方法であって、ユーザが操作している状態を示す第１画面を前記操作画面に表示するステップ（ａ）と、所定時間ユーザからの操作がなかった場合に、他の第１状態を示す第２画面を前記操作画面に表示するステップ（ｂ）と、前記操作画面が前記第１画面から前記第２画面に遷移するときに、当該操作画面におけるユーザからの操作が作業の途中であるか否かを判断するステップ（ｃ）と、前記ユーザからの操作が作業の途中であると判断された場合、前記第１画面から前記第２画面に遷移するときの前記第１画面に表示されている操作内容を保存するステップ（ｄ）と、を有することを特徴とする画像形成方法。
【００２１】
（１０）前記第２画面を表示した後に、保存している前記操作内容を表示する第３画面を前記操作画面に表示するステップ（ｅ）と、前記第３画面が表示された場合、保存している前記操作内容を削除するステップ（ｆ）と、を更に有する上記（９）に記載の画像形成方法。
【００２２】
（１１）前記ステップ（ｄ）において、前記操作内容を保存した後、所定時間経過後に保存している前記操作内容を削除するステップ（ｇ）を更に有する上記（９）に記載の画像形成方法。
【００２３】
（１２）前記ステップ（ｃ）において、ユーザからの操作が作業の途中であるか否かは、印刷設定作業において印刷を開始するための開始ボタンまたは本体設定作業において設定を確定するための確定ボタンが押された否かに基づいて判断する上記（９）に記載の画像形成方法。
【００２４】
（１３）前記ステップ（ｂ）において、前記他の第１状態は、初期化、省電力モードおよびログアウトのうちいずれか一つである上記（９）に記載の画像形成方法。
【００２５】
（１４）前記ステップ（ｂ）において、前記第２表示画面は、ユーザからの操作が作業の途中である場合に保存している前記操作内容を呼出すための項目を含む初期画面である上記（９）に記載の画像形成方法。
【００２６】
（１５）前記ステップ（ｂ）において、前記第２表示画面は省電力モードを示す画面であり、前記第２画面においてユーザからの操作を受け付けた場合、前記保存手段が前記操作内容を保存している場合には前記保存手段が保存している前記操作内容を呼出すための項目を含む初期画面を表示し、前記保存手段が前記操作内容を保存していない場合には通常の初期画面を表示するステップ（ｈ）を更に有する上記（９）に記載の画像形成方法。
【００２７】
（１６）前記ステップ（ｃ）において、前記第２表示画面はログアウトを示すログイン画面であり、前記ステップ（ｄ）において、前記操作内容は、ログインさせたユーザに関連付けて保存され、前記ステップ（ａ）の前に、ログイン画面によって、ユーザを認証した後にログインさせてユーザからの操作を受け付けるステップ（ｉ）と、前記第２画面においてユーザをログインさせた場合、前記操作内容を保存している場合には当該操作内容を表示し、前記操作内容を保存していない場合には通常の初期画面を表示するステップ（ｊ）と、を更に有する上記（９）に記載の画像形成方法。
【００２８】
（１７）ユーザからの操作を受け付ける操作画面を提供する画像形成装置を制御するための画像形成プログラムであって、ユーザが操作している状態を示す第１画面を前記操作画面に表示する手順（ａ）と、所定時間ユーザからの操作がなかった場合に、他の第１状態を示す第２画面を前記操作画面に表示する手順（ｂ）と、前記操作画面が前記第１画面から前記第２画面に遷移するときに、当該操作画面におけるユーザからの操作が作業の途中であるか否かを判断する手順（ｃ）と、前記ユーザからの操作が作業の途中であると判断された場合、前記第１画面から前記第２画面に遷移するときの前記第１画面に表示されている操作内容を保存する手順（ｄ）と、を画像処理装置に実行させることを特徴とする画像形成プログラム。
【００２９】
（１８）前記第２画面を表示した後に、保存している前記操作内容を表示する第３画面を前記操作画面に表示する手順（ｅ）と、前記第３画面が表示された場合、保存している前記操作内容を削除する手順（ｆ）と、を更に実行させる上記（１７）に記載の画像形成プログラム。
【００３０】
（１９）前記手順（ｄ）において、前記操作内容を保存した後、所定時間経過後に保存している前記操作内容を削除する手順（ｇ）を更に有する上記（１７）に記載の画像形成方法。
【００３１】
（２０）前記手順（ｃ）において、ユーザからの操作が作業の途中であるか否かは、印刷設定作業において印刷を開始するための開始ボタンまたは本体設定作業において設定を確定するための確定ボタンが押された否かに基づいて判断する上記（１７）に記載の画像形成プログラム。
【００３２】
（２１）前記手順（ｂ）において、前記他の第１状態は、初期化、省電力モードおよびログアウトのうちいずれか一つである上記（１７）に記載の画像形成プログラム。
【００３３】
（２２）前記手順（ｂ）において、前記第２表示画面は、ユーザからの操作が作業の途中である場合に保存している前記操作内容を呼出すための項目を含む初期画面である上記（１７）に記載の画像形成プログラム。
【００３４】
（２３）前記手順（ｂ）において、前記第２表示画面は省電力モードを示す画面であり、前記第２画面においてユーザからの操作を受け付けた場合、前記保存手段が前記操作内容を保存している場合には前記保存手段が保存している前記操作内容を呼出すための項目を含む初期画面を表示し、前記保存手段が前記操作内容を保存していない場合には通常の初期画面を表示する手順（ｈ）を更に実行させる上記（１７）に記載の画像形成プログラム。
【００３５】
（２４）前記手順（ｃ）において、前記第２表示画面はログアウトを示すログイン画面であり、前記手順（ｄ）において、前記操作内容は、ログインさせたユーザに関連付けて保存され、前記手順（ａ）の前に、ログイン画面によって、ユーザを認証した後にログインさせてユーザからの操作を受け付ける手順（ｉ）と、前記第２画面においてユーザをログインさせた場合、前記操作内容を保存している場合には当該操作内容を表示し、前記操作内容を保存していない場合には通常の初期画面を表示する手順（ｇ）と、を更に実行させる上記（１７）に記載の画像形成プログラム。
【発明の効果】
【００３６】
本発明では、ユーザの操作が作業途中である場合、他の状態に移行する前に、作業途中の操作内容が保存され、ユーザが再度操作を始める場合、作業途中の状態から操作を再開することができる。
【発明を実施するための最良の形態】
【００３７】
以下、本発明の実施の形態を、図面を参照して詳細に説明する。
【００３８】
図１は、本発明の画像形成装置であるＭＦＰの概略構成を示す構成図である。
【００３９】
画像形成装置としてのＭＦＰは、読み取り部１１０と、給紙トレイ１２０と、画像形成部１３０と、仕上げ部１４０と、排紙トレイ１５０と、操作パネル１６０とを備えている。
【００４０】
読み取り部１１０は、原稿を原稿ガラス上に載置し原稿カバーで覆い、原稿の画像を読み取る。読み取り部１１０は、コピー機能およびスキャン機能を利用する際に用いられる。給紙トレイ１２０には、画像を印刷するための用紙がサイズごとに収容されている。画像形成部１３０は、感光ドラム、転写ベルト、定着器および各種搬送ベルトなどを有し、用紙に画像を印刷する。
【００４１】
仕上げ部１４０は、画像形成部１３０から搬送される用紙に対してステープル、パンチ、折りなどのフィニッシング処理を行う。排紙トレイ１５０は、仕上げ部１４０から排出される印刷後の用紙を貯めておく。操作パネル１６０は、印刷設定や本体設定についてのユーザの操作を受け付ける。
【００４２】
このＭＦＰでは、装置内部に設置される感光ドラムの表面を帯電させる帯電工程、帯電した感光ドラムにレーザ光を照射してこの感光ドラムの表面に静電潜像を形成する露光工程、感光ドラムの表面に形成された静電潜像にトナーを付着させて現像を行う現像工程、感光ドラムの表面に付着したトナーを用紙へ転写する転写工程、および用紙に転写されたトナーを用紙に定着させる定着工程の各工程が順に行われ、給紙トレイ１２０から給紙された用紙へ印刷が行われる。
【００４３】
図２は、図１に示すＭＦＰの機能ブロック図である。
【００４４】
ＭＦＰは、ＣＰＵ１０１、メモリ１０２、ＨＤＤ（ハードディスク装置）１０３および通信インタフェース１０４を備える制御部１００を有し、上述した各構成部を制御する。
【００４５】
ＣＰＵ１０１は、プログラムにしたがって、各構成部の制御や各種の演算処理を行う。
【００４６】
メモリ１０２には、ＣＰＵ１０１が各種制御を行うためのプログラム、画像処理や印刷データに基づいて行われる印刷処理のためのプログラムなど各種プログラムやデータが格納されている。また、メモリ１０２には、作業途中の印刷条件に関する設定データ、読み取り部１１０により読み込まれる画像データ、および通信インタフェース１０４を介して取得される外部のＰＣからの画像データなども格納される。
【００４７】
ＨＤＤ１０３には、上記メモリ１０２に各種プログラムやデータが格納しきれない場合に、それらのデータやプログラムが格納される。つまり、ＨＤＤ１０３はメモリ１０２の補助的な構成要素であり、上記メモリ１０２に十分な記憶容量が確保されている場合には、ＨＤＤ１０３は必要されることはない。
【００４８】
通信インタフェース１０４は、他の機器と通信するためのインタフェースであり、データの送受信を行う。ＭＦＰと他の機器とは、ＬＡＮ等のネットワークを介して接続されている。ただしＵＳＢケーブル等を用いて直接機器間で接続（ローカル接続）されていてもよい。
【００４９】
図３は、図２に示す操作パネルを示す図である。
【００５０】
操作パネル１６０は、表示画面１６１および入力キー１６２を有し、ユーザに対して設定内容や操作内容を表示したりユーザからの操作を受け付けたりする。
【００５１】
表示画面１６１には、印刷設定および本体設定に関する設定項目が表示され、ユーザが印刷設定または本体設定を変更したり確認したりする際に用いられる。表示画面１６１はタッチパネル方式を採用しており、ユーザが各項目を指で触れることで所望の項目が選択される。
【００５２】
入力キー１６２には、コピーボタン２００、スキャンボタン２０１、ＦＡＸボタン２０２、テンキー２１０、スタートボタン２２０、ストップボタン２３０およびリセットボタン２４０が用意されている。
【００５３】
コピーボタン２００はコピー機能をする利用するための切換ボタンであり、スキャンボタン２０１はスキャン機能を利用するための切換ボタンであり、ＦＡＸボタン２０２はＦＡＸ機能を利用するための切換ボタンである。テンキー２１０はＦＡＸ番号や印刷枚数など数字を入力するためのボタンである。
【００５４】
スタートボタン２２０はコピーやスキャンを開始したり、ＦＡＸによる送信を行うときに決定をするためのボタンである。ストップボタン２３０は印刷ジョブを途中で中断するときに用いられ、リセットボタン２４０は印刷設定や本体設定を途中で削除し初期画面に戻るときに用いられる。
【００５５】
図４は、通常の初期画面が表示された操作パネルを示す図である。なお、操作パネル１６０のうち入力キー１６２については、説明の重複を避けるためその説明を省略する。
【００５６】
通常の初期画面には、印刷する色を設定するためのカラー、印刷する用紙を設定するための用紙、印刷倍率を設定するための倍率、印刷する用紙の面やページを設定するための両面／ページ集約の各項目が設けてある。また、基本設定として、印刷の色はオートカラーに、用紙は自動選択に、倍率は１００％に、印刷する用紙は片面印刷に設定されている。
【００５７】
また、通常の初期画面には、基本設定の他に、原稿指定、画質・濃度、応用設定がタブで表示されている。
【００５８】
ユーザは、複数の設定項目が示された通常の初期画面から印刷設定または本体設定の各作業を開始する。表示画面１６１にはタッチパネル方式が採用されているため、ユーザは、表示画面１６１上の各項目を指で触れることで所望の項目を選択し操作することができる。
【００５９】
図５は、印刷設定作業の途中における表示画面１６１が表示された操作パネルを示す図である。なお、操作パネル１６０のうち入力キー１６２については、説明の重複を避けるためその説明を省略する。
【００６０】
ユーザは、印刷設定においてフィニッシング処理の設定作業を行っている途中である。
【００６１】
通常の初期画面において応用設定が選択され、さらにフィニッシャが選択されている状態である。この後、ステープルの有無、パンチ穴の有無、折り方が選択され、スタートボタン２２０が押されると、印刷設定の作業は完了する。
【００６２】
図６は、本体設定作業の途中における表示画面が表示された操作パネルを示す図である。なお、操作パネル１６０のうち入力キー１６２については、説明の重複を避けるためその説明を省略する。
【００６３】
ユーザは、本体設定においてネットワークへの設定作業を行っている途中である。
【００６４】
本体設定において通信インタフェース１０４が選択され、さらにＴＣＰ／ＩＰが選択されている状態である。この後、サブネットマスクが入力されて、デフォルトゲートが入力され、適用ボタン５００が押されると、本体設定の作業は完了する。
【００６５】
図７は、省電力モードにおける表示画面が表示された操作パネルを示す図である。なお、操作パネル１６０のうち入力キー１６２については、説明の重複を避けるためその説明を省略する。
【００６６】
ＭＦＰは、入力キー１６２の操作や表示画面１６１上での操作が所定時間行われなかった場合、消費電力の削減を図るため省電力モードに移行する。省電力モードでは、特定の部品への電力の供給が絶たれ、表示画面１６１は表示を行われず、画像形成部１３０のエンジンは停止され、ＣＰＵ１０１のキャッシュは無効にされＣＰＵ１０１のクロックも落とされ、ＨＤＤ１０３は停止される。したがって、省電力モードでは、図７に示すように、表示画面１６１上には何も表示されない。
【００６７】
例えば、ユーザがフィニッシング処理の設定作業を行っている途中で、何も操作することなく所定時間が経過した場合、省電力モードに移行する。この場合、表示画面１６１上では設定作業が途中であっても操作内容が消去され何も表示されない。
【００６８】
図８は、呼出キーを含む初期画面が表示された操作パネルを示す図である。なお、操作パネル１６０のうち入力キー１６２については、説明の重複を避けるためその説明を省略する。
【００６９】
呼出キーを含む初期画面には、カラー、用紙、倍率、両面／ページ集約の各項目に加えて、操作内容の呼び出しを行うための呼出キー６００が設けてある。
【００７０】
ユーザが呼出キー６００を押した場合、メモリ１０２に保存されている作業途中の操作内容が呼出され、表示画面１６１に表示される。そのため、ユーザは作業途中の状態から操作を再開することができる。
【００７１】
例えば、ユーザがフィニッシング処理の設定作業を行っている途中で、何も操作することなく所定時間が経過した場合、ユーザの作業は中止されたものと判断され初期化が行われる。この場合、作業途中の操作内容はメモリ１０２に保存され、表示画面１６１には呼出キーを含む初期画面が表示される。ユーザが呼出キー６００を押すことにより、作業途中の操作内容が表示画面１６１に表示され、ユーザは作業途中の状態から操作を再開することができる。または、ユーザは、呼出キー６００を押すことなく、設定操作の作業を最初から行うこともできる。
【００７２】
あるいは、省電力モードにおいて操作パネル１６０上で操作が行われた場合、呼出キーを含む初期画面が表示されてもよい。この場合も、ユーザは、設定操作の作業を最初から行うか、呼出キー６００を押して作業途中の状態から操作を再開するかを選択することができる。
【００７３】
以上のように、呼出キーを含む初期画面を表示画面１６１に表示することは、設定操作の作業途中から他の状態に遷移した場合に作業途中の状態から操作を再開するために有効である。
【００７４】
図９は、ユーザ認証時における表示画面が表示された操作パネルを示す図である。なお、操作パネル１６０のうち入力キー１６２については、説明の重複を避けるためその説明を省略する。
【００７５】
ユーザ認証画面には、ユーザ名およびパスワードを入力する欄が設けられ、ユーザ認証画面は、セキュリティの向上を図るためユーザを認証するためにログインを要求する。
【００７６】
ユーザがユーザ名およびパスワードを入力し、ログインボタン７００を押した場合、ユーザからのログイン要求が判断される。ログイン要求が正当であると判断された場合、ユーザからのログインは受け付けられ、表示画面１６１には初期画面が表示される。ログイン要求が正当でないと判断された場合、再度ユーザ認証画面が表示され再入力が促される。
【００７７】
すなわち、ユーザがＭＦＰを使用する場合、セキュリティ上の観点からユーザが認証され、特定のユーザに限り使用が許可される。この場合、何も操作することなく所定時間が経過した場合、他のユーザの使用を防ぐためログアウトされ、再びユーザ認証画面が表示される。
【００７８】
設定作業の途中でログアウトされた場合、ユーザが再度ログインした時には、呼出キーを含む初期画面が表示され、ユーザに作業途中の状態から操作を再開させるようにすることもできる。
【００７９】
図１０から図１２は、図１に示すＭＦＰの処理の手順を示すフローチャートである。図１０から図１２のフローチャートにより示されるアルゴリズムは、ＭＦＰのメモリ１０２にプログラムとして記憶されており、ＭＦＰのＣＰＵ１０１によって実行される。
【００８０】
表示画面１６１上に初期画面が表示される（ステップＳ１００）。制御部は、図４に示す通常の初期画面を操作パネル１６０上に表示し、ユーザからの操作を受け付ける。
【００８１】
操作パネル１６０上で操作が行われたか否かが判断され（ステップＳ１０１）、操作が行われたら（Ｓ１０１：Ｙｅｓ）、次の処理（ステップＳ１０２）が行われる。操作が行われない場合（Ｓ１０１：Ｎｏ）、処理はステップＳ１０１に戻り、操作が行われるまで繰り返す。つまり、操作パネル１６０上でユーザが操作を行うまで制御部は待機する。
【００８２】
タイマｔが０にリセットされ、カウントが開始される（ステップＳ１０２）。操作パネル１６０上で操作が行われたら（Ｓ１０１：Ｙｅｓ）、制御部はタイマｔを０にリセットしカウントを始める。
【００８３】
作業が完了したか否かが判断される（ステップＳ１０３）。作業が完了したと判断された場合（ステップＳ１０３：Ｙｅｓ）、作業完了フラグＥＮＤは「１」に書き換えられ（ステップＳ１０４）、作業が完了していないと判断された場合（ステップＳ１０３：Ｎｏ）、作業完了フラグＥＮＤは「０」に書き換えられる（ステップＳ１０５）。ここで、作業が完了したか否かは、印刷設定を操作している場合であればスタートボタン２２０が押されたら作業は終了したものと判断し、本体設定を操作している場合であれば適用ボタン５００が押され、設定内容が確定されたら作業は終了したものと判断する。
【００８４】
初期画面において、操作パネル１６０上で操作が行われたか否かが判断される（ステップＳ１０６）。操作が行われていない場合（Ｓ１０６：Ｎｏ）、タイマｔが時間ｔ１を越えたか否かが判断され（ステップＳ１０７）、タイマｔが時間ｔ１を越えていない場合（ステップＳ１０７：Ｎｏ）、処理はステップＳ１０６に戻る。つまり、操作パネル１６０上で操作が行われる（Ｓ１０６：Ｙｅｓ）か、あるいはタイマｔが時間ｔ１を越える（Ｓ１０７：Ｙｅｓ）まで処理は繰り返される。
【００８５】
一方、操作パネル１６０上で操作が行われた場合（Ｓ１０６：Ｙｅｓ）、処理はステップＳ１０２に戻り、タイマｔが０にリセットされる。また、操作が行われることなく（Ｓ１０６：Ｎｏ）、タイマｔが時間ｔ１を越えた場合（ステップＳ１０７：Ｙｅｓ）、次の処理（ステップＳ１０８）が行われる。すなわち、タイマｔが時間ｔ１を経過する前に操作パネル１６０上で操作が行われた場合、処理はステップＳ１０２に戻り、パネル上で操作が行われることなく、タイマｔが時間ｔ１を経過した場合、次の処理（ステップＳ１０８）が行われる。
【００８６】
作業完了フラグＥＮＤが「１」であるか否かが判断される（ステップＳ１０８）。作業完了フラグＥＮＤが「１」である場合（ステップＳ１０８：Ｙｅｓ）、メモリ１０２に操作内容が保存されているか否かが判断される（ステップＳ１０９）。操作内容が保存されていないと判断された場合（Ｓ１０９：Ｎｏ）、図４に示す通常の初期画面が表示される（ステップＳ１１０）。制御部は、メモリ１０２に操作内容が保存されていない場合、通常の初期画面を表示する。
【００８７】
すなわち、ユーザが操作パネル１６０上で操作を行うことなく、時間ｔ１が経過した場合であって、メモリ１０２に操作内容が保存されていない場合、操作パネル１６０の表示画面１６１は、図５または図６に示す作業途中の画面から、図３に示す通常の初期画面に遷移する。
【００８８】
通常の初期画面において、操作パネル１６０上で操作が行われたか否かが判断され（ステップＳ１１１）、操作が行われていない場合（Ｓ１１１：Ｎｏ）、タイマｔが時間ｔ２を越えたか否かが判断される（ステップＳ１１２）。
【００８９】
タイマｔが時間ｔ２を越えていない場合（ステップＳ１１２：Ｎｏ）、処理はステップＳ１１１に戻り、操作パネル１６０上で操作が行われる（Ｓ１１１：Ｙｅｓ）か、あるいはタイマｔが時間ｔ２を越える（Ｓ１１２：Ｙｅｓ）まで繰り返される。
【００９０】
一方、通常の初期画面において、操作パネル１６０上で操作が行われた場合（Ｓ１１１：Ｙｅｓ）、処理はステップＳ１０２に戻り、タイマｔが０にリセットされる。
【００９１】
操作パネル１６０上で操作が行われることなく（Ｓ１１１：Ｎｏ）、タイマｔが時間ｔ２を越えた場合（ステップＳ１１２：Ｙｅｓ）、省電力モードにおける表示画面が表示される（ステップＳ１１３）。
【００９２】
すなわち、タイマｔが時間ｔ２を経過する前に操作パネル１６０上で操作がされた場合、処理はステップＳ１０２に戻る。一方、操作パネル１６０上で操作が行われることなく、タイマｔが時間ｔ２を経過した場合、操作パネル１６０上の表示画面１６１は図７に示す省電力モードにおける画面に遷移する。
【００９３】
ここで、省電力モードとは、特定の部品への電力の供給が絶たれている状態をいう。省電力モードでは、図７に示すように表示画面１６１には何も表示されず、画像形成部１３０のエンジンは停止され、ＣＰＵ１０１のキャッシュは無効にされＣＰＵ１０１のクロックも落とされ、ＨＤＤ１０３は停止されている。
【００９４】
省電力モードにおいて、操作パネル１６０上で操作が行われたか否かが判断され（ステップＳ１１４）、操作が行われなかった場合（Ｓ１１４：Ｎｏ）、処理はステップＳ１１４に戻り、操作が行われるまで繰り返す。つまり、ユーザが操作パネル１６０上で操作を行うまでＭＦＰは省電力モードを維持する。
【００９５】
一方、省電力モードにおいて、操作パネル１６０上で操作が行われた場合（Ｓ１１４：Ｙｅｓ）、初期画面が表示される（ステップＳ１１５）。そして処理はステップＳ１０２に戻り、タイマｔが０にリセットされる。
【００９６】
すなわち、ＭＦＰが省電力モードで、ユーザが操作パネル１６０上で操作を行った場合、表示画面１６１は、図７に示す省電力モードにおける表示画面から、図４に示す通常の初期画面に遷移する。この場合、メモリ１０２には操作内容が保存されていない。
【００９７】
ステップＳ１０８において、作業完了フラグＥＮＤが「１」でない場合（ステップＳ１０８：Ｎｏ）、作業途中の操作内容が保存され（ステップＳ１１６）、呼出キーを含む初期画面が表示される（ステップＳ１１７）。また、ステップＳ１０９において、操作内容が保存されていると判断された場合も（Ｓ１０９：Ｎｏ）、呼出キーを含む初期画面が表示される（ステップＳ１１７）。制御部は、ステップＳ１０８において作業が完了していないと判断した場合、あるいは、作業が完了していても操作内容が保存されていると判断した場合、呼出キーを含む初期画面を表示する。
【００９８】
すなわち、ユーザが操作パネル１６０上で操作を行うことなく、時間ｔ１が経過した場合であって、作業が完了していない場合あるいは作業が完了していても操作内容が保存されている場合、操作パネル１６０上の表示画面１６１は、図５または図６に示す作業途中の画面から、図８に示す呼出キーを含む初期画面に遷移する。この場合、ユーザは、呼出キー６００を押すことにより、作業途中の状態から操作を再開することができる。あるいは、ユーザは、呼出キー６００を押すことなく、作業を最初から行うこともできる。
【００９９】
呼出キーを含む初期画面において、操作パネル１６０上で操作が行われたか否かが判断され（ステップＳ１１８）、操作が行われていないと判断された場合（Ｓ１１８：Ｎｏ）、タイマｔが時間ｔ２を越えたか否かが判断される（ステップＳ１１９）。
【０１００】
タイマｔが時間ｔ２を越えていない場合（ステップＳ１１８：Ｎｏ）、処理はステップＳ１１８に戻り、操作パネル１６０上で操作が行われる（Ｓ１１８：Ｙｅｓ）か、あるいはタイマｔが時間ｔ２を越える（Ｓ１１９：Ｙｅｓ）まで繰り返される。
【０１０１】
呼出キーを含む初期画面において、操作パネル１６０上で操作が行われることなく（Ｓ１１８：Ｎｏ）、タイマｔが時間ｔ２を越えた場合（ステップＳ１１９：Ｙｅｓ）、省電力モードにおける表示画面が表示される（ステップＳ１２０）。
【０１０２】
すなわち、操作パネル１６０上で操作が行われることなく、タイマｔが時間ｔ２を経過した場合、操作パネル１６０上の表示画面１６１は図７に示す省電力モードにおける画面に遷移する。一方、タイマｔが時間ｔ２を経過する前に操作パネル１６０上で操作がされた場合、処理はステップＳ１２４に進む。
【０１０３】
省電力モードにおいて、操作パネル１６０上で操作が行われたか否かが判断され（ステップＳ１２１）、操作が行われなかった場合（Ｓ１２１：Ｎｏ）、処理はステップＳ１２１に戻り、操作が行われるまで繰り返す。つまり、ユーザが操作パネル１６０上で操作を行うまでＭＦＰは省電力モードを維持する。
【０１０４】
一方、省電力モードにおいて、操作パネル１６０上で操作が行われた場合（Ｓ１２１：Ｙｅｓ）、呼出キーを含む初期画面が表示される（ステップＳ１２２）。
【０１０５】
すなわち、ＭＦＰが省電力モードで、ユーザが操作パネル１６０上で操作を行った場合、表示画面１６１は、図７に示す省電力モードにおける表示画面から、図８に示す呼出キーを含む初期画面に遷移する。
【０１０６】
呼出キーを含む初期画面において、操作パネル１６０上で操作が行われたか否かが判断され（ステップＳ１２３）、操作が行われなかった場合（Ｓ１２３：Ｎｏ）、処理はステップＳ１２３に戻り、操作が行われるまで繰り返す。つまり、ユーザが操作パネル１６０上で操作を行うまで、ＭＦＰは呼出キーを含む初期画面を表示し続ける。
【０１０７】
一方、呼出キーを含む初期画面において、操作パネル１６０上で操作が行われた場合（Ｓ１２３：Ｙｅｓ）、呼出キー６００が押されたか否かが判断される（ステップＳ１２４）。呼出キー６００が押された場合（ステップＳ１２４：Ｙｅｓ）、保存されている操作内容が呼び出され、印刷設定作業の途中の表示画面が表示される（ステップＳ１２５）。そして、メモリ１０２に保存されている操作内容は削除される（ステップＳ１２６）。
【０１０８】
すなわち、呼出キーを含む初期画面において、ユーザが呼出キー６００を押した場合（Ｓ１２３：Ｙｅｓ、Ｓ１１８：Ｙｅｓ）、操作パネル１６０の表示画面１６１は、図８に示す呼出キーを含む初期画面から、図５または６に示す作業途中の画面に遷移する。この場合、ユーザは、作業途中の状態から操作を再開することができる。
【０１０９】
また、メモリ１０２に保存されている作業途中の操作内容は、呼出キーが押された場合に表示画面１６１に表示され、メモリ１０２から削除されることにより、何度も操作内容が表示されることはない。また、メモリ１０２資源の節約も図ることができる。
【０１１０】
呼出キー６００が押されなかった場合（ステップＳ１２４：Ｎｏ）、処理はステップＳ１０２に戻り、タイマｔが０にリセットされる。この場合、ユーザは、新たに作業を開始することとなる。
【０１１１】
以上のように、図１０〜図１２に示す処理では、図５または図６に示す作業途中の画面から、図４または図８に示す初期画面に遷移した後、図７に示す省電力モードにおける画面に遷移している。
【０１１２】
すなわち、ユーザが操作パネル１６０上で操作を行うことなく、時間ｔ１が経過した場合、操作パネル１６０の表示画面１６１は、作業途中の画面から初期画面に遷移する。その際に、操作パネル１６０上におけるユーザの作業が完了しているか否か、およびメモリ１０２に操作内容が保存されているか否かが判断される。そして、作業が完了していない場合または作業が完了しているが操作内容が保存されている場合には呼出キーを含む初期画面が表示され、作業が完了しており、操作内容を保存していない場合には通常の初期画面が表示される。ここで、作業途中の操作内容は、呼出キーを含む初期画面が表示される（Ｓ１１７）前にメモリ１０２に記憶され、ユーザが呼出キー６００を押すことで表示画面１６１に表示されることとなる。
【０１１３】
また、時間ｔ１が経過した後での初期画面において、ユーザが操作パネル１６０上で操作を行うことなく、時間ｔ２が経過した場合、操作パネル１６０の表示画面１６１は、初期画面から省電力モードにおける画面に遷移する。
【０１１４】
その後、ユーザが操作パネル１６０上で操作を行った場合、省電力モードにおける画面から初期画面に遷移する。
【０１１５】
ここで、呼出キーを含む初期画面が表示される場合、ユーザが行った操作が呼出キー６００の押下であるか否かが判断され、呼出キー６００の押下である場合、作業途中の操作画面が表示される。つまり、呼出キーを含む初期画面において、ユーザが呼出キー６００を押した場合、呼出キーを含む初期画面から作業途中の画面に遷移する。したがって、ユーザは、作業途中の状態から操作を再開することができる。
【０１１６】
図１３および図１４は、図１に示すＭＦＰの他の処理の手順を示すフローチャートである。図１３および図１４のフローチャートにより示されるアルゴリズムは、ＭＦＰのメモリ１０２にプログラムとして記憶されており、ＭＦＰのＣＰＵ１０１によって実行される。
【０１１７】
図１０から図１２に示す処理では、表示画面１６１は、作業途中の画面から初期画面に遷移した後、省電力モードにおける画面に遷移しているが、本発明はこれに限られるものではない。図１３および図１４に示す処理では、表示画面１６１は、通常の初期画面を表示する前に図９に示すユーザ認証画面を表示し、その後作業途中の画面からログアウトした場合、再びユーザ認証画面に遷移する。
【０１１８】
表示画面１６１上にユーザ認証画面が表示され（ステップＳ２００）、ログインが行われるまで繰り返される（ステップＳ２０１）。制御部は、図９に示すユーザ認証画面を表示し、ユーザからのログイン要求が正当であると判断されるまでログイン処理を繰り返す。
【０１１９】
ログインが受け付けられた場合（ステップＳ２０１：Ｙｅｓ）、表示画面１６１上に初期画面が表示される（ステップＳ２０２）。制御部は、図４に示す通常の初期画面を操作パネル１６０上に表示し、ユーザからの操作を受け付ける。
【０１２０】
操作パネル１６０上で操作が行われたか否かが判断され（ステップＳ２０３）、操作が行われたら（Ｓ２０３：Ｙｅｓ）、次の処理（ステップＳ２０３）が行われる。操作が行われない場合（Ｓ２０３：Ｎｏ）、処理はステップＳ２０３に戻り、操作が行われるまで繰り返す。つまり、操作パネル１６０上でユーザが操作を行うまで制御部は待機する。
【０１２１】
タイマｔが０にリセットされ、カウントが開始され（ステップＳ２０４）、作業が完了したか否かが判断される（ステップＳ２０５）。
【０１２２】
作業が完了したと判断された場合（ステップＳ２０５：Ｙｅｓ）、作業完了フラグＥＮＤは「１」に書き換えられ（ステップＳ２０６）、作業が完了していないと判断された場合（ステップＳ２０５：Ｎｏ）、作業完了フラグＥＮＤは「０」に書き換えられる（ステップＳ２０７）。ここで、作業が完了したか否かは、上述した処理と同様に、印刷設定を操作している場合であればスタートボタン２２０が押されたら作業は終了したものと判断し、本体設定を操作している場合であれば適用ボタン５００などが押され、設定内容が確定されたら作業は終了したものと判断する。
【０１２３】
操作パネル１６０上で操作が行われたか否かが判断され（ステップＳ２０８）、操作が行われていない場合（Ｓ２０８：Ｎｏ）、タイマｔが時間ｔ３を越えたか否かが判断される（ステップＳ２０９）。タイマｔが時間ｔ３を越えていない場合（ステップＳ２０９：Ｎｏ）、処理はステップＳ２０８に戻り、操作パネル１６０上で操作が行われる（Ｓ２０８：Ｙｅｓ）か、あるいはタイマｔが時間ｔ３を越える（Ｓ２０９：Ｙｅｓ）まで繰り返される。
【０１２４】
一方、操作パネル１６０上で操作が行われた場合（Ｓ２０８：Ｙｅｓ）、処理はステップＳ２０４に戻り、タイマｔが０にリセットされる。操作が行われることなく（Ｓ２０８：Ｎｏ）、タイマｔが時間ｔ３を越えた場合（ステップＳ２０９：Ｙｅｓ）、次の処理（ステップＳ２１０）が行われる。すなわち、パネル上で操作が行われることなく、タイマｔが時間ｔ３を経過した場合に限り、次の処理（ステップＳ２０９）が行われる。
【０１２５】
作業完了フラグＥＮＤが「１」であるか否かが判断される（ステップＳ２１０）。作業完了フラグＥＮＤが「１」でない場合（ステップＳ２１０：Ｎｏ）、作業途中の操作内容がメモリ１０２に保存され（ステップＳ２１１）、ユーザ認証画面が表示される（ステップＳ２１２）。制御部は、作業が完了していないと判断した場合、作業途中の操作内容をメモリ１０２に保存し、ログアウトさせ、ユーザ認証画面を表示する。ここで、作業途中の操作内容は、ユーザ名およびパスワードに関連付けて保存される。つまり、作業途中の操作内容は、各ユーザごとに保存される。
【０１２６】
また、ユーザ認証画面は、通常の初期画面を表示する前にユーザを認証するためにログインを要求するとともに、ログアウトした状態を示すものである。
【０１２７】
一方、作業完了フラグＥＮＤが「１」である場合（ステップＳ２１０：Ｙｅｓ）、そのままユーザ認証画面が表示される（ステップＳ２１２）。すなわち、ユーザが操作パネル１６０上で操作を行うことなく、時間ｔ３が経過した場合、操作パネル１６０の表示画面１６１は、図５または図６に示す作業途中の画面から、図９に示すユーザ認証画面に遷移する。
【０１２８】
ログインが行われたか否かが判断され、ログインが受け付けられるまで繰り返される（ステップＳ２１３）。制御部は、図９に示すユーザ認証画面を表示し、ユーザからのログイン要求が正当であると判断されるまでログイン処理を繰り返す。
【０１２９】
ログインが受け付けられた場合（ステップＳ２１３：Ｙｅｓ）、メモリ１０２に作業途中の操作内容が保存されているか否かが判断される（ステップＳ２１４）。ここで、作業途中の操作内容は、ログインが受け付けられたユーザ名とパスワードに関連付けられたものである。
【０１３０】
メモリ１０２に操作内容が保存されていないと判断された場合（ステップＳ２１４：Ｎｏ）、初期画面が表示される（ステップＳ２１５）。そして処理はステップＳ２０４に戻り、タイマｔが０にリセットされる。
【０１３１】
すなわち、ユーザがログインした場合、メモリ１０２に操作内容が保存されていない場合、表示画面１６１は、図９に示すユーザ認証画面から図４に示す通常の初期画面に遷移する。
【０１３２】
一方、メモリ１０２に操作内容が保存されていると判断された場合（ステップＳ２１４：ＹＥＳ）、保存されている操作内容は呼び出され、印刷設定作業の途中の表示画面が表示される（ステップＳ２１６）。メモリ１０２に保存されている操作内容は削除され（ステップＳ２１７）、処理はステップＳ２０４に戻り、タイマｔが０にリセットされる。
【０１３３】
すなわち、ユーザがログインした場合、メモリ１０２に操作内容が保存されているときは、表示画面１６１は図９に示すユーザ認証画面から図５または図６に示す作業途中の画面に遷移する。この場合、ユーザは、作業途中の状態から操作を再開することができる。
【０１３４】
また、メモリ１０２に保存されている作業途中の操作内容は、再度ログインした場合に表示画面１６１に表示され、メモリ１０２から削除されることにより、何度も操作内容が表示されることはない。また、メモリ１０２資源の節約も図ることができる。
【０１３５】
以上のように、図１１に示す処理では、操作パネル１６０の表示画面１６１は、図５または図６に示す作業途中の画面から、図９に示すログアウトした状態を示す画面に遷移した後、再度ログインした場合、初期画面または作業途中の画面に遷移している。
【０１３６】
すなわち、ユーザが操作パネル１６０上で操作を行うことなく、時間ｔ３が経過した場合、操作パネル１６０の表示画面１６１は、作業途中の画面からログアウトした状態を示すユーザ認証画面に遷移する。その後、再度、ユーザがログインした場合、操作パネル１６０上におけるユーザの作業が完了しているか否かが判断され、作業が完了している場合には図４に示す通常の初期画面に遷移し、作業が完了していない場合には図５または図６に示す作業途中の画面に遷移する。ここで、作業途中の操作内容は、ログアウトした状態を示すユーザ認証画面が表示される前にメモリ１０２に記憶され、再度ユーザがログインしたときに表示画面１６１に表示されることとなる。
【０１３７】
本発明はこれに限定されず、再度、ユーザがログインした場合、操作パネル１６０上におけるユーザの作業が完了しているか否かが判断され、作業が完了していない場合には表示画面１６１は図８に示す呼出キーを含む初期画面に遷移するようにしてもよい。この場合、ユーザが呼出キー６００を押すことで作業途中の操作内容は表示画面１６１に表示される。したがって、ログインしたユーザは、設定作業を最初から行うか、呼出キー６００を押して作業途中の状態から操作を再開するかを選択することができる。
【０１３８】
また、上記実施の形態では、メモリ１０２に保存されている作業途中の操作内容は、呼出キー６００が押されるか、あるいは再度ユーザがログインした場合、表示画面１６１に表示された後にメモリ１０２から削除される。しかし、メモリ１０２に保存されている作業途中の操作内容は、保存されてから一定時間経過後に削除されるようにしてもよい。つまり、操作内容は、表示画面１６１に表示された後のみならず、表示画面１６１に表示されることなく一定時間経過した場合にも削除されるようにするとよい。このような処理を採用すると、呼出キーを含む初期画面において、呼出キー６００が押されることなく、作業が最初から行われた場合、メモリ１０２に操作内容が保存され続けることを防ぐことができる。したがって、メモリ１０２資源の節約を図ることができる。
【０１３９】
本発明は、上記した実施形態のみに限定されるものではなく、特許請求の範囲内において、種々改変することができる。
【０１４０】
上記実施の形態では、本発明の画像形成装置としてＭＦＰ（Ｍｕｌｔｉ−Ｆｕｎｃｔｉｏｎ  Ｐｅｒｉｐｈｅｒａｌ）について説明したが、本発明はこれに限定されるものではない。本発明は、例えばデジタル複写機、ファクシミリ装置、電子メールプリンタ等の画像形成装置にも適用可能である
本実施の形態の画像形成装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に伝送されて記憶される。また、上記プログラムは、単独のアプリケーションソフトとして提供されてもよいし、装置の一機能としてその装置のソフトウェアに組み込まれてもよい。
【図面の簡単な説明】
【０１４１】
【図１】本発明の画像形成装置であるＭＦＰの概略構成を示す構成図である。
【図２】図１に示すＭＦＰの機能ブロック図である。
【図３】図２に示す操作パネルを示す図である。
【図４】通常の初期画面が表示された操作パネルを示す図である。
【図５】印刷設定作業の途中における表示画面が表示された操作パネルを示す図である。
【図６】本体設定作業の途中における表示画面が表示された操作パネルを示す図である。
【図７】省電力モードにおける表示画面が表示された操作パネルを示す図である。
【図８】呼出キーを含む初期画面が表示された操作パネルを示す図である。
【図９】ユーザ認証時における表示画面が表示された操作パネルを示す図である。
【図１０】図１に示すＭＦＰの処理の手順を示すフローチャートである。
【図１１】図１に示すＭＦＰの処理の手順を示すフローチャートである。
【図１２】図１に示すＭＦＰの処理の手順を示すフローチャートである。
【図１３】図１に示すＭＦＰの他の処理の手順を示すフローチャートである。
【図１４】図１に示すＭＦＰの他の処理の手順を示すフローチャートである。
【符号の説明】
【０１４２】
１００    制御部、
１０１    ＣＰＵ、
１０２    メモリ、
１０３    ＨＤＤ、
１０４    通信インタフェース、
１１０    読み取り部、
１２０    給紙トレイ、
１３０    画像形成部、
１４０    仕上げ部、
１５０    排紙トレイ、
１６０    操作パネル、
１６１    表示画面、
１６２    入力キー、
２００    コピーボタン、
２０１    スキャンボタン、
２０２    ＦＡＸボタン、
２１０    テンキー、
２２０    スタートボタン、
２３０    ストップボタン、
２４０    リセットボタン、
５００    適用ボタン、
６００    呼出キー。
【図１】
2010023451.tif 000003
【図２】
2010023451.tif 000004
【図３】
2010023451.tif 000005
【図４】
2010023451.tif 000006
【図５】
2010023451.tif 000007
【図６】
2010023451.tif 000008
【図７】
2010023451.tif 000009
【図８】
2010023451.tif 000010
【図９】
2010023451.tif 000011
【図１０】
2010023451.tif 000012
【図１１】
2010023451.tif 000013
【図１２】
2010023451.tif 000014
【図１３】
2010023451.tif 000015
【図１４】
2010023451.tif 000016